(57)【要約】      （修正有）【課題】ヨークの外形を小さくすると、コイル、レンズ支持体と順に小さくなり、結果としてレンズの径が小さくなってしまう従来例のレンズ駆動装置に対して、レンズの径を変えずに外形を小さくできるレンズ駆動装置を提供する。【解決手段】コイル１３に通電して生じる電磁力によりレンズホルダ１２を光軸方向に沿って移動させる移動機構１を備えてレンズ駆動装置１０１を構成する。さらに、レンズホルダ１２の周囲を囲む位置に、複数の磁石１５と、コイル１３と、ヨーク１４とを配設し、ヨークが、外ヨーク１４Ａと複数の内ヨーク１４Ｃとを有し、外ヨークのレンズホルダ側であってコイル１３の外壁面１３ｑの近傍に、磁石１５のそれぞれを外壁面の方向に沿って配設し、コイルの内壁面１３ｐの近傍に、内ヨーク１４Ｃのそれぞれを内壁面の方向に沿って配設するとともに、複数の磁石と複数の内ヨークがコイルの周方向に交互に配設されていることを特徴としている。【選択図】図８
0003177105.tif 000002
【実用新案登録請求の範囲】
【請求項１】
レンズ体を保持し得る筒状のレンズホルダと、磁石、環状のコイル及びヨークを有した移動機構とを備え、前記コイルに通電して生じる電磁力により前記レンズホルダを光軸方向に沿って移動させるレンズ駆動装置において、
前記レンズホルダの周囲を囲む位置に、複数の前記磁石と、前記コイルと、前記ヨークとを配設し、
前記ヨークは、外ヨークと複数の内ヨークとを有し、
前記外ヨークの前記レンズホルダ側であって前記コイルの外壁面の近傍に、前記磁石のそれぞれを前記外壁面の方向に沿って配設し、
前記コイルの内壁面の近傍に、前記内ヨークのそれぞれを前記内壁面の方向に沿って配設するとともに、複数の前記磁石と複数の前記内ヨークが前記コイルの前記内壁面の周方向に交互に配設されていることを特徴とするレンズ駆動装置。
【請求項２】
隣り合う前記磁石間に配設された前記コイルの一部は、前記コイルの一部の前記内壁面が隣り合う前記磁石のそれぞれの端部同士を結ぶ仮想線より前記外ヨーク側に位置することを特徴とする請求項１に記載のレンズ駆動装置。
【請求項３】
前記内ヨークの端部は、前記コイルの前記内壁面に沿って曲げて延設されていることを特徴とする請求項１または請求項２に記載のレンズ駆動装置。
【請求項４】
前記内ヨークの前記端部の一部は、前記磁石の一部と前記コイルを挟んで対向していることを特徴とする請求項３に記載のレンズ駆動装置。
【請求項５】
前記コイルの環状形状が略八角形であることを特徴とする請求項１ないし請求項４に記載のレンズ駆動装置。
【考案の詳細な説明】
【技術分野】
【０００１】
本考案は、カメラ付き携帯機器に搭載される小型のレンズ駆動装置に関する。
【背景技術】
【０００２】
近年、携帯電話に代表される携帯機器にカメラ機構が搭載されているのは一般的となってきた。そして、軽薄短小の携帯機器にこのカメラ機構を搭載するので、カメラ機構の主要容積を占めるレンズ駆動装置をなるべく小さくしなければいけないと言う要求が高まってきた。一方、カメラの画素数の増加とともにレンズに要求される性能も向上し、レンズ径をなるべく大きく取りたいと言う要求も高まってきた。この２つの要求を満たすレンズ駆動装置として、レンズホルダを駆動するための磁気回路をレンズホルダの四方に設けたものが良く知られている。
【０００３】
上述したレンズ駆動装置として、特許文献１（従来例１）では、小型カメラに用いられるオートフォーカス用のレンズ駆動装置９００が提案されている。従来例１のレンズ駆動装置９００は、図１０に示すように、矩形で環状の外周側壁９０３ａと内周側壁９０３ｂとを有したヨーク９０３と、ブロック状の４つのマグネット９１３と、円形のコイル９１５と、円形でレンズＬＥを保持するレンズ支持体９０７とを備えて構成されている。そして、この構成部品が組み立てられた際に、図１０（ｂ）に示すように、レンズＬＥを保持するレンズ支持体９０７の外周側にヨーク９０３の内周側壁９０３ｂが配設され、更に外側にコイル９１５が配置され、マグネット９１３が、コイル９１５を挟んでヨーク９０３の内周側壁９０３ｂと対向する位置であってヨーク９０３の外周側壁９０３ａの四隅に配置されている。
【先行技術文献】
【特許文献】
【０００４】
【特許文献１】特開２００８−０３３２５２号公報
【考案の概要】
【考案が解決しようとする課題】
【０００５】
しかしながら、更にレンズ駆動装置の外形を小さくしようとすると、従来例１のような構成部品の配置では、ヨーク９０３の外形を小さくすると、コイル９１５、レンズ支持体９０７と順に小さくなり、結果としてレンズＬＥの径が小さくなってしまうと言った課題があった。
【０００６】
本考案は、上述した課題を解決するもので、レンズの径を変えずに外形を小さくできるレンズ駆動装置を提供することを目的とする。
【課題を解決するための手段】
【０００７】
この課題を解決するために、本考案の請求項１によるレンズ駆動装置は、レンズ体を保持し得る筒状のレンズホルダと、磁石、環状のコイル及びヨークを有した移動機構とを備え、前記コイルに通電して生じる電磁力により前記レンズホルダを光軸方向に沿って移動させるレンズ駆動装置において、前記レンズホルダの周囲を囲む位置に、複数の前記磁石と、前記コイルと、前記ヨークとを配設し、前記ヨークが、外ヨークと複数の内ヨークとを有し、前記外ヨークの前記レンズホルダ側であって前記コイルの外壁面の近傍に、前記磁石のそれぞれを前記外壁面の方向に沿って配設し、前記コイルの内壁面の近傍に、前記内ヨークのそれぞれを前記内壁面の方向に沿って配設するとともに、複数の前記磁石と複数の前記内ヨークが前記コイルの周方向に交互に配設されていることを特徴としている。
【０００８】
また、本考案の請求項２によるレンズ駆動装置は、隣り合う前記磁石間に配設された前記コイルの一部が、前記コイルの一部の前記内壁面が前記磁石のそれぞれの端部同士を結ぶ仮想線より前記外ヨーク側に位置することを特徴としている。
【０００９】
また、本考案の請求項３によるレンズ駆動装置は、前記内ヨークの端部が、前記コイルの前記内壁面に沿って曲げて延設されていることを特徴としている。
【００１０】
また、本考案の請求項４によるレンズ駆動装置は、前記内ヨークの前記端部の一部が、前記磁石の一部と前記コイルを挟んで対向していることを特徴としている。
【００１１】
また、本考案の請求項５によるレンズ駆動装置は、前記コイルの環状形状が略八角形であることを特徴としている。
【考案の効果】
【００１２】
請求項１の考案によれば、本考案のレンズ駆動装置は、コイルの外壁面の近傍に、前記磁石のそれぞれを前記外壁面の方向に沿って配設し、コイルの内壁面の近傍に、前記内ヨークのそれぞれを前記内壁面の方向に沿って配設するとともに、複数の磁石と複数の内ヨークが前記コイルの周方向に交互に配設されているので、磁石と対向する位置で無い位置、つまり余裕スペースである隣り合う磁石間の位置に、それぞれの内ヨークを配設することになる。このため、外周側壁、マグネット、コイル、内周側壁が互いに対向するように順に配設されている従来例１と比較して、内ヨークの厚み分を減らせるので、径方向に小さくすることができる。このことにより、コイルの内接径をレンズ外周径に近づけるように小さくできるので、レンズ外周径を小さくすることなくレンズ駆動装置全体を小さくすることができる。
【００１３】
請求項２の考案によれば、本考案のレンズ駆動装置は、隣り合う磁石間に配設されたコイルの一部が隣り合う磁石のそれぞれの端部より外ヨーク側に位置しているので、コイルのレンズホルダ側の位置でかつ隣り合う磁石間の位置に設けられた内ヨークをより外ヨーク側に配設することができる。このため、外ヨークからコイル、内ヨーク迄の径方向の厚みを薄くすることができ、レンズ駆動装置全体をより小さくしても、内ヨークがレンズ外周径と重ならないようにできる。このことにより、レンズ外周径を小さくすることなくレンズ駆動装置全体をより小さくすることができる。
【００１４】
請求項３の考案によれば、本考案のレンズ駆動装置は、内ヨークの端部が、コイルの内壁面に沿って曲げて延設されているので、コイルの内壁面側の内接径を大きくすることなく、内ヨークを隣の磁石により近づけることができる。このため、磁石からコイルを通して内ヨークに流れる磁束の流れをより良くすることができる。このことにより、レンズホルダを光軸方向に沿って確実に移動させることができる。
【００１５】
請求項４の考案によれば、本考案のレンズ駆動装置は、内ヨークの端部の一部が磁石の一部とコイルを挟んで対向しているので、コイルの内壁面側の内接径を大きくすることなく、内ヨークを隣の磁石により一層近づけることができる。このため、磁石からコイルを通して内ヨークに流れる磁束の流れをより一層良くすることができる。このことにより、レンズホルダを光軸方向に沿ってより確実に移動させることができる。
【００１６】
請求項５の考案によれば、本考案のレンズ駆動装置は、コイルの環状形状が略八角形であるので、４つの磁石と４つの内ヨークとをそれぞれ隣り合う位置に、バランス良く配設することができる。このため、全体の配設領域を効率良く使用することができ、径方向により小さくすることができる。このことにより、レンズ外周径を小さくすることなくレンズ駆動装置全体を小さくすることができる。
【００１７】
したがって、本考案のレンズ駆動装置は、レンズ径を変えずに小型化できるレンズ駆動装置を提供できる。
【図面の簡単な説明】
【００１８】
【図１】本考案の第１実施形態のレンズ駆動装置を説明する分解斜視図である。
【図２】本考案の第１実施形態のレンズ駆動装置を説明する斜視図である。
【図３】本考案の第１実施形態のレンズ駆動装置を説明する図であって、図３（ａ）は、図２に示すＹ２側から見た正面図であり、図３（ｂ）は、図２に示すＺ１側から見た上面図である。
【図４】本考案の第１実施形態のレンズ駆動装置を説明する図であって、図４（ａ）は、上方側から見たレンズホルダの斜視図であり、図４（ｂ）は、図１に示すＺ１側から見たレンズホルダの上面図である。
【図５】本考案の第１実施形態のレンズ駆動装置を説明する図であって、図５（ａ）は、図４（ａ）に示すレンズホルダにコイルを装着した状態の斜視図であり、図５（ｂ）は、図４（ｂ）に示すレンズホルダにコイルを装着した状態の上面図である。
【図６】本考案の第１実施形態のレンズ駆動装置を説明する図であって、図６（ａ）は、上方側から見たヨークの斜視図であり、図６（ｂ）は、下方側から見たヨークの斜視図である。
【図７】本考案の第１実施形態のレンズ駆動装置を説明する図であって、図７（ａ）は、図１に示すＺ２側から見たヨークの底面図であり、図７（ｂ）は、図７（ａ）のヨークにコイル及び磁石が配設された状態を示す底面図である。
【図８】本考案の第１実施形態のレンズ駆動装置を説明する図であって、図３（ａ）に示すＶＩＩＩ−ＶＩＩＩ線における底面側から見た横断面図である。
【図９】本考案の第１実施形態のレンズ駆動装置の変形例１を説明する図であって、図８と比較した横断面図である。
【図１０】従来例１におけるレンズ駆動装置を説明する図であって、図１０（ａ）は、ヨークにマグネットが配設された状態を示す斜視図であり、図１０（ｂ）は、レンズ駆動装置が組み立てられた際の構成部品の位置関係を示す平面図である。
【考案を実施するための形態】
【００１９】
以下、本考案の実施の形態について添付図面を参照して詳細に説明する。
【００２０】
［第１実施形態］
図１は、本考案の第１実施形態のレンズ駆動装置１０１を説明する分解斜視図である。図２は、本考案の第１実施形態のレンズ駆動装置１０１を説明する斜視図である。図３は、本考案の第１実施形態のレンズ駆動装置１０１を説明する図であって、図３（ａ）は、図２に示すＹ２側から見た正面図であり、図３（ｂ）は、図２に示すＺ１側から見た上面図である。
【００２１】
本考案の第１実施形態のレンズ駆動装置１０１は、図１ないし図３に示すように、レンズホルダ１２、コイル１３、ヨーク１４、磁石１５を有した移動機構１を備えて構成され、他に、レンズホルダ１２を光軸方向に沿って移動できるように支持しているバネ１６と、ベース基体８及びトップカバー９を有している。そして、レンズ駆動装置１０１は、図示しないレンズ体をレンズホルダ１２に保持し、図示しないイメージセンサを実装した基板上に取り付けられる。そして、イメージセンサに対して、レンズ体に保持されたレンズを光軸方向（図２に示すＺ方向）に駆動させて焦点距離を調整するために、移動機構１により、レンズホルダ１２を図２に示すＺ方向に移動させるものである。つまり、移動機構１のコイル１３に通電して生じる電磁力により、移動機構１のレンズホルダ１２を光軸方向に沿って移動させるものである。
【００２２】
図４は、本考案の第１実施形態のレンズ駆動装置１０１を説明する図であって、図４（ａ）は、上方側から見たレンズホルダ１２の斜視図であり、図４（ｂ）は、図１に示すＺ１側から見たレンズホルダ１２の上面図である。図５は、本考案の第１実施形態のレンズ駆動装置１０１を説明する図であって、図５（ａ）は、図４（ａ）に示すレンズホルダ１２にコイル１３を装着した状態の斜視図であり、図５（ｂ）は、図４（ｂ）に示すレンズホルダ１２にコイル１３を装着した状態の上面図である。図６は、本考案の第１実施形態のレンズ駆動装置１０１を説明する図であって、図６（ａ）は、上方側から見たヨーク１４の斜視図であり、図６（ｂ）は、下方側から見たヨーク１４の斜視図である。図７は、本考案の第１実施形態のレンズ駆動装置１０１を説明する図であって、図７（ａ）は、図１に示すＺ２側から見たヨーク１４の底面図であり、図７（ｂ）は、図７（ａ）のヨーク１４にコイル１３及び磁石１５が配設された状態を示す底面図である。なお、図７（ｂ）には、レンズホルダ１２の内周面に設けられた雌ねじ部１２ｎを破線で示している。
【００２３】
移動機構１のレンズホルダ１２は、図４に示すように、環状で略八角形の外周面及び円形の内周面を有する筒部１２ｓと、筒部１２ｓの下端の外周面から径方向外側に突出した鍔部１２ｔとから構成されている。筒部１２ｓの内周面には、雌ねじ部１２ｎが形成されており、この雌ねじ部１２ｎに図示しないレンズを備えたレンズ体が装着される。また、筒部１２ｓの外周面には、コイル１３を内側から支持するコイル支持部１２ｊが略八角形の外周面の対向する４面から径方向外側に突出して形成されているとともに、コイル支持部１２ｊから径方向外側に更に突出した庇部１２ｈが形成されている。
【００２４】
鍔部１２ｔの上面は、後述するコイル１３の底面を固定する固定面となっており、図４及び図５に示すように、鍔部１２ｔの上面と庇部１２ｈの底面との間にコイル１３が配設されるようになる。そして、コイル１３の内周面がコイル支持部１２ｊにより等方的にバランス良く支持されるため、コイル１３の中心軸と雌ねじ部１２ｎより保持されたレンズホルダ１２の中心軸とが一致した状態で保持される。これにより、レンズの中心軸を光軸の中心軸と容易に一致させ易くなる。
【００２５】
移動機構１のコイル１３は、図１または図５に示すように、導線を環状形状で八角形の筒状に巻回して形成されており、前述したようにコイル支持部１２ｊにより内側から支持された状態で、筒部１２ｓの周囲を囲うように鍔部１２ｔの上面に固定されている。つまり、レンズホルダ１２の筒部１２ｓの外周面にコイル１３が配設されるようになる。このとき、コイル１３と筒部１２ｓとの間には、後述する内ヨーク１４Ｃ（図８を参照）が配設される程度の間隙Ｄ３４が４箇所形成される（図５（ｂ）を参照）。また、コイル１３は、レンズホルダ１２よりも光軸方向に短く形成されており、コイル１３がレンズホルダ１２に固定された状態では、筒部１２ｓの上部の約半分がコイル１３の上方に露出するようにコイル１３が巻回されている。
【００２６】
移動機構１のヨーク１４は、図１、図２及び図６に示すように、外形が八角形の環状に形成され、レンズホルダ１２及びコイル１３を覆うようにして、ベース基体８に係合されている。また、ヨーク１４は、外壁の外ヨーク１４Ａと、外ヨーク１４Ａの上端の外周面と連続して設けられた平板状の上面部１４ｔを介して下方（図１に示すＺ２方向）に延設された内ヨーク１４Ｃとを有している。内ヨーク１４Ｃは、４個備えられており（１４ａ、１４ｂ、１４ｃ、１４ｄ）、四方に等分に配設され、かつ対向する外ヨーク１４Ａと並行になるように配設されている。そして、内ヨーク１４Ｃのそれぞれは、コイル１３の内壁面１３ｐの近傍に、内壁面１３ｐの方向に沿って配設されている。また、内ヨーク１４Ｃの両端部は、曲げて形成されている曲げ部１４ｒを有している。この曲げ部１４ｒは、組み立てられてコイル１３が配設された際に、図７に示すように、コイル１３の内壁面１３ｐに沿って曲げて延設されているように形成されている。
【００２７】
移動機構１の磁石１５は、図１または図７（ｂ）に示すように、断面形状が長方形で（後述する図８を参照）、平板状の外形をしており、４つの磁石１５（１５ａ、１５ｂ、１５ｃ、１５ｄ）は、外ヨーク１４Ａのレンズホルダ１２側であってコイルの外壁面１３ｑ側の近傍になるようにして外壁面１３ｑの方向に沿って配設するとともに、外ヨーク１４Ａの四角の４箇所に、外ヨーク１４Ａの内面１４ｗに当接して配設されている。そして、４つの磁石１５（１５ａ、１５ｂ、１５ｃ、１５ｄ）のそれぞれは、レンズホルダ１２の外周面に配設されたコイル１３と平行に対向するようにも配設され、レンズホルダ１２のコイル支持部１２ｊとも平行に対向するようにも配設されている（図１及び図４を参照）。この磁石１５は、平板状の形状のため加工が容易であるとともに、組み立てがし易いため、生産コストを低減させることができる。
【００２８】
また、板ばね１６は、ヨーク１４の上部開口部分よりも小径な開口を有しヨーク１４の上面部１４ｔに配設される上板ばね１６Ａと、レンズホルダ１２とベース基体８との間に載置される２枚の下板ばね１６Ｃ及び下板ばね１６Ｅとから構成され、レンズホルダ１２と板ばね１６のそれぞれ（１６Ａ、１６Ｃ、１６Ｅ）が係合され、レンズホルダ１２が図２に示すＺ方向に移動できるように、レンズホルダ１２を空中で支えている。図示はしていないが、下板ばね１６Ｃは、コイル１３の一端側と電気的に接続されるとともに、下板ばね１６Ｅは、コイル１３の一端側と電気的に接続されて、この下板ばね１６Ｃ及び下板ばね１６Ｅを介して、コイル１３に電流を流すことができる。
【００２９】
ここで、図７（ｂ）及び図８を参照して、移動機構１のそれぞれの配設について詳細に説明する。図８は、本考案の第１実施形態のレンズ駆動装置１０１を説明する図であって、図３（ａ）に示すＶＩＩＩ−ＶＩＩＩ線における底面側（図３（ａ）に示すＺ２側）から見た横断面図である。
【００３０】
図７（ｂ）及び図８に示すように、レンズホルダ１２の周囲を囲む位置に、コイル１３と、ヨーク１４と、４個の磁石１５（１５ａ、１５ｂ、１５ｃ、１５ｄ）とを配設し、４個の磁石１５は、外ヨーク１４Ａのレンズホルダ１２側であって外ヨーク１４Ａの内面１４ｗに対して当接させ、それぞれ対角に配設させ、レンズホルダ１２の外周面に配設されたコイル１３と平行に対向するように配設されている。また、４個の内ヨーク１４Ｃのそれぞれ（１４ａ、１４ｂ、１４ｃ、１４ｄ）は、レンズホルダ１２側のコイル１３の内壁面１３ｐと平行に対向する位置に配設され、しかも磁石１５と平行に対向しない位置で隣り合う磁石１５間の位置に設けている。したがって、４個の磁石１５（１５ａ、１５ｂ、１５ｃ、１５ｄ）と４個の内ヨーク１４Ｃ（１４ａ、１４ｂ、１４ｃ、１４ｄ）は、コイル１３の周方向に沿って配設されているとともに、４個の磁石１５のそれぞれと４個の内ヨーク１４Ｃのそれぞれがコイル１３の周方向に交互に配設されている。言い換えると、４個の磁石１５のそれぞれと４個の内ヨーク１４Ｃのそれぞれとは、レンズホルダ１２の中心軸に対して、略４５°ずれた位置に配設されている。
【００３１】
これにより、磁石１５と対向する位置で無い位置、つまり余裕スペースである隣り合う磁石１５間の位置に、４個の内ヨーク１４Ｃを配設することになる。このため、外周側壁９０３ａ、マグネット９１３、コイル９１５、内周側壁９０３ｂが互いに対向するように順に配設されている従来例１と比較して、内ヨーク１４Ｃの厚み分を減らせるので、径方向に小さくすることができる。このことにより、コイル１３の内接径をレンズ外周径に近づけるように小さくできるので、レンズ外周径を小さくすることなくレンズ駆動装置１０１全体を小さくすることができる。
【００３２】
さらに、図７（ｂ）及び図８に示すように、隣り合う磁石１５間に配設されたコイル１３の一部は、その部分の内壁面１３ｐが隣り合う磁石１５のそれぞれの端部１５ｔ同士を結んだ仮想線ＶＬより外ヨーク１４Ａ側に位置している。言い換えると、磁石１５と磁石１５との間に配設されたコイル１３の一部分が外ヨーク１４Ａ側に近づけられて設けられ、一方の磁石１５の一端側の角部と他方の磁石１５の一端側の角部とを結んだ仮想線ＶＬがコイル１３の内壁面１３ｐよりレンズホルダ１２側に位置するようになっている。
【００３３】
これにより、コイル１３のレンズホルダ１２側の位置でかつ隣り合う磁石１５間の位置に設けられた内ヨーク１４Ｃをより外ヨーク１４Ａ側に配設することができる。このため、外ヨーク１４Ａからコイル１３、内ヨーク１４Ｃ迄の径方向の厚みを薄くすることができ、レンズ駆動装置１０１全体をより小さくしても、内ヨーク１４Ｃがレンズ外周径と重ならないようにできる。このことにより、レンズ外周径を小さくすることなくレンズ駆動装置１０１全体をより小さくすることができる。
【００３４】
特に、本考案の第１実施形態のレンズ駆動装置１０１は、ヨーク１４の外形が八角形の環状でコイル１３の環状形状が略八角形なので、効率的にヨーク１４の一辺とコイル１３の一辺を平行にしてかつ近づけて配設することができる。このため、内ヨーク１４Ｃをより外ヨーク１４Ａ側に配設することができ、径方向により小さくすることができる。このことにより、レンズ外周径を小さくすることなくレンズ駆動装置１０１全体を小さくすることができる。
【００３５】
このようにして配設された外ヨーク１４Ａと、磁石１５と、内ヨーク１４Ｃとで磁気回路が形成され、コイル１３に通電して生じる電磁力により、コイル１３が固定されたレンズホルダ１２を図２に示すＺ方向に移動させることができる。
【００３６】
また、図７（ｂ）及び図８に示すように、内ヨーク１４Ｃの端部である曲げ部１４ｒは、コイル１３の内壁面１３ｐに沿って曲げて延設されているので、コイル１３の内壁面１３ｐ側の内接径を大きくすることなく、内ヨーク１４Ｃを隣の磁石１５により近づけることができる。このため、磁石１５からコイル１３を通して内ヨーク１４Ｃに流れる磁束の流れをより良くすることができる。このことにより、レンズホルダ１２を光軸方向に沿って確実に移動させることができる。なお、本考案の第１実施形態の内ヨーク１４Ｃの全てが、両側の端部を曲げて延設しており、より好ましい構成であるが、内ヨーク１４Ｃの全てに適用されなくても良いし、片側の端部だけに適用されていても良い。
【００３７】
移動機構１以外のベース基体８は、合成樹脂材料からなり、図１ないし図３に示すように、外形が矩形の板状形状で構成され、中央に矩形の開口８ｋが形成されている。詳細に図示はしていないが、ベース基体８の上面には上方に向けて突出する突出部が複数設けられ、板ばね１６Ｃ及び板ばね１６Ｅにそれぞれ設けられた開口部と突出部とが係合し、板ばね１６Ｃ及び板ばね１６Ｅがベース基体８に位置決めされる。また、ベース基体８の上面には凹部が複数設けられ、レンズホルダ１２の下面に複数設けられて下方に向けて突出する突設部と凹部とが係合し、レンズホルダ１２がベース基体８に位置決めされる。さらに、図示はしていないが、ベース基体８とヨーク１４とが係合ピンで係合され、同様にヨーク１４がベース基体８に位置決めされる。
【００３８】
また、ベース基体８には、銅や鉄もしくはそれらを主成分とした合金等の材質を用いた金属板からなる端子７が、インサート成形されて埋め込まれている。そして、図示はしていないが、端子７の一方の端子７Ｃは、下板ばね１６Ｃと電気的に接続されるとともに、端子７の他方の端子７Ｅは、下板ばね１６Ｅと電気的に接続されており、この下板ばね１６Ｃ及び下板ばね１６Ｅを介して、コイル１３に電流を流すことができる。
【００３９】
また、トップカバー９は、図１に示すように、中央に円形状の開口９ｋを有する矩形の基部９ｂと、基部９ｂの四隅から下方に向けて延びる４つの脚部９ｆとから形成されており、上板ばね１６Ａを介してヨーク１４に被さることにより取り付けられる。このようにして、ベース基体８、下板ばね１６Ｃ及び下板ばね１６Ｅ、レンズホルダ１２、コイル１３、ヨーク１４、上板ばね１６Ａ、トップカバー９は、下から順に取り付けることにより、各部材が同軸上に配設される。
【００４０】
以上により、本考案のレンズ駆動装置１０１は、コイル１３の外壁面１３ｑ側の近傍に磁石１５のそれぞれを周方向に沿って配設し、コイル１３の内壁面１３ｐ側に内ヨーク１４Ｃのそれぞれを外壁面１３ｑの方向に沿って配設するとともに、複数の磁石１５（１５ａ、１５ｂ、１５ｃ、１５ｄ）と複数の内ヨーク１４Ｃ（１４ａ、１４ｂ、１４ｃ、１４ｄ）が交互に配設されているので、磁石１５と対向する位置で無い位置、つまり余裕スペースである隣り合う磁石１５間の位置に、それぞれの内ヨーク１４Ｃを配設することになる。このため、外周側壁９０３ａ、マグネット９１３、コイル９１５、内周側壁９０３ｂが互いに対向するように順に配設されている従来例１と比較して、内ヨーク１４Ｃの厚み分を減らせるので、径方向に小さくすることができる。このことにより、コイル１３の内接径をレンズ外周径に近づけるように小さくできるので、レンズ外周径を小さくすることなくレンズ駆動装置１０１全体を小さくすることができる。
【００４１】
また、隣り合う磁石１５間に配設されたコイル１３の一部が隣り合う磁石１５のそれぞれの端部１５ｔより外ヨーク１４Ａ側に位置しているので、コイル１３のレンズホルダ１２側の位置でかつ隣り合う磁石１５間の位置に設けられた内ヨーク１４Ｃをより外ヨーク１４Ａ側に配設することができる。このため、外ヨーク１４Ａからコイル１３、内ヨーク１４Ｃ迄の径方向の厚みを薄くすることができ、レンズ駆動装置１０１全体をより小さくしても、内ヨーク１４Ｃがレンズ外周径と重ならないようにできる。このことにより、レンズ外周径を小さくすることなくレンズ駆動装置１０１全体をより小さくすることができる。
【００４２】
また、内ヨーク１４Ｃの端部である曲げ部１４ｒは、コイル１３の内壁面１３ｐに沿って曲げて延設されているので、コイル１３の内壁面１３ｐ側の内接径を大きくすることなく、内ヨーク１４Ｃを隣の磁石１５により近づけることができる。このため、磁石１５からコイル１３を通して内ヨーク１４Ｃに流れる磁束の流れをより良くすることができる。このことにより、レンズホルダ１２を光軸方向に沿って確実に移動させることができる。
【００４３】
また、コイル１３の環状形状が略八角形であるので、４つの磁石１５と４つの内ヨーク１４Ｃとをそれぞれ隣り合う位置に、バランス良く配設することができる。このため、全体の配設領域を効率良く使用することができ、径方向により小さくすることができる。このことにより、レンズ外周径を小さくすることなくレンズ駆動装置１０１全体を小さくすることができる。
【００４４】
なお、本考案は上記実施形態に限定されるものではなく、例えば次のように変形して実施することができ、これらの実施形態も本考案の技術的範囲に属する。
【００４５】
＜変形例１＞
図９は、本考案の第１実施形態のレンズ駆動装置１０１の変形例１を説明する図であって、図８と比較した横断面図である。上記第１実施形態の内ヨーク１４Ｃの端部である曲げ部１４ｒを更に延接して、内ヨークＣ１４Ｃとしても良い。これにより、図９に示すように、内ヨークＣ１４Ｃの更に延接された曲げ部Ｃ１４ｒが、磁石１５の一部とコイル１３を挟んで対向するようになる。このため、コイル１３の内壁面１３ｐ側の内接径を大きくすることなく、内ヨークＣ１４Ｃを隣の磁石１５により一層近づけることができる。このことにより、磁石１５からコイル１３を通して内ヨークＣ１４Ｃに流れる磁束の流れをより一層良くすることができ、レンズホルダ１２を光軸方向に沿ってより確実に移動させることができる。
【００４６】
＜変形例２＞
上記第１実施形態では、コイル１３の外形が八角形の環状に形成されており好適に構成されていたが、例えば四角形、六角形、十角形等の多角形であっても良い。
【００４７】
＜変形例３＞
上記第１実施形態では、ヨーク１４の外形が八角形の環状に形成されており好適に構成されていたが、四角形であっても良い。その際には、磁石１５の断面形状を三角形若しくは台形形状にすると、磁束の流れを強くすることができ、レンズホルダ１２の移動をより円滑にさせることもできる。
【００４８】
＜変形例４＞
上記第１実施形態では、レンズホルダ１２の外周面が略八角形で形成されていたが、例えば他の多角形であっても良い。
【００４９】
＜変形例５＞
上記第１実施形態では、板ばね１６Ａと板ばね１６Ｃがレンズホルダ１２に係合しレンズホルダ１２を空中で支えていたが、レンズホルダ１２の上下を挟むようにさらに２枚の板ばねを設け、レンズホルダ１２を上下から押圧するようにしてレンズホルダ１２を空中で支えるようにしても良い。このことにより、レンズホルダ１２の移動をより円滑にさせることができる。
【００５０】
本考案は上記実施の形態に限定されず、本考案の目的の範囲を逸脱しない限りにおいて適宜変更することが可能である。
【符号の説明】
【００５１】
１  移動機構
１２  レンズホルダ
１３  コイル
１３ｐ  内壁面
１３ｑ  外壁面
１４  ヨーク
１４Ａ  外ヨーク
１４Ｃ、１４ａ、１４ｂ、１４ｃ、１４ｄ、Ｃ１４Ｃ  内ヨーク
１５、１５ａ、１５ｂ、１５ｃ、１５ｄ  磁石
１５ｔ  端部
８  ベース基体
９  トップカバー
１０１  レンズ駆動装置
ＶＬ  仮想線
【図１】
0003177105.tif 000003
【図２】
0003177105.tif 000004
【図３】
0003177105.tif 000005
【図４】
0003177105.tif 000006
【図５】
0003177105.tif 000007
【図６】
0003177105.tif 000008
【図７】
0003177105.tif 000009
【図８】
0003177105.tif 000010
【図９】
0003177105.tif 000011
【図１０】
0003177105.tif 000012